(57)【要約】【課題】体の回転運動を妨げないゴルフスイングに寄与することのできるゴルフシューズ用靴底およびそれを用いたゴルフシューズを提供する。【解決手段】ゴルフシューズ用靴底１０は、靴底本体１４の底面１６を少なくとも踵部領域２２を含む複数の領域に区画するとともに、踵部領域２２の少なくとも足の内側に位置する内側下縁部および足の外側に位置する外側下縁部を湾曲面３０とし、さらに、外側下縁部の湾曲面３０には（先端が前記底面より下方に突出する）突出部３２を設け、内側下縁部の湾曲面３０には突出部３２を設けない。ゴルフシューズ１は、ゴルフシューズ用靴底１０を具備する。【選択図】図２
2012139348.tif 000002
【特許請求の範囲】
【請求項１】
靴底本体を有する左右１対のゴルフシューズ用靴底であって、
前記靴底本体の底面は、踵部領域を含む複数の領域に区画され、かつ、
前記踵部領域の内側下縁部および外側下縁部は、縦断面が湾曲状をなす湾曲面とされているとともに、
前記外側下縁部の湾曲面には下方に突出する突出部が設けられ、前記内側下縁部の湾曲面には前記突出部が設けられていないことを特徴とするゴルフシューズ用靴底。
【請求項２】
前記突出部は、複数に分割されていることを特徴とする請求項１に記載のゴルフシューズ用靴底。
【請求項３】
ゴルファーが反打球進行方向の足に履くゴルフシューズにおける前記靴底の靴底本体の踏付け部の内側下縁部は、縦断面が湾曲状をなす湾曲面とされていることを特徴とする請求項１または２に記載のゴルフシューズ用靴底。
【請求項４】
前記靴底は、ゴルファーが打球進行方向の足に履くゴルフシューズに備えられ、当該靴底の靴底本体の踏付け部の底面外側には、前記突出部が設けられていることを特徴とする請求項１〜３のいずれか１項に記載のゴルフシューズ用靴底。
【請求項５】
前記靴底本体の底面外側に鋲が取り付けられていることを特徴とする請求項１〜４のいずれか１項に記載のゴルフシューズ用靴底。
【請求項６】
前記靴底本体の底面は、前記踵部領域と、踏付け部の内側を含む踏付け部内側領域と、踏付け部の外側を含む踏付け部外側領域とに凹溝を介して区画されており、前記踵部領域、踏付け部内側領域および踏付け部外側領域の２つ以上が、前記凹溝により物理的に分断されている状態、または、前記凹溝の底部を介して物理的につながっている状態となっていることを特徴とする請求項１〜５のいずれか１項に記載のゴルフシューズ用靴底。
【請求項７】
前記靴底本体の底面部分は、熱可塑性ポリウレタン樹脂により形成されていることを特徴とする請求項１〜６のいずれか１項に記載のゴルフシューズ用靴底。
【請求項８】
請求項１〜７のいずれか１項に記載のゴルフシューズ用靴底を具備することを特徴とするゴルフシューズ。
【発明の詳細な説明】
【技術分野】
【０００１】
本発明は、体の回転運動を妨げないゴルフスイングに好適なゴルフシューズ用靴底およびそれを用いたゴルフシューズに関する。
【背景技術】
【０００２】
従来、ゴルフシューズとして、多くの提案がなされている。例えば、特許文献１には、スイング時に地面とのグリップ力が求められる部位にゴム組成物からなる複数の突起を設けてグリップ力を向上させたものが開示されている。
【０００３】
一般的に、右打ち（右利き）のゴルファーによるゴルフスイングは、通常のスイングとして左足を軸足とし、右足を蹴足として左足の外側に壁を作ってスイングすることが多い。
【０００４】
一方、近年、体の回転運動を妨げないゴルフスイングの一例として、非特許文献１に記載されている「うねり」を利用したスイング（うねり打法）などのスイングがある。
【０００５】
前記体の回転運動を妨げないゴルフスイングの一例であるうねり打法によるスイングを行うときの体重移動の軌跡の一例は、図９の矢印に示すように、右足の踵部外側から右足の爪先部外側を通り左足の踵部外側に直線的に至る形状となる。
【先行技術文献】
【特許文献】
【０００６】
【特許文献１】特許第２９４６２１５号明細書
【非特許文献】
【０００７】
【非特許文献１】手塚一志著、「図解手塚一志のうねり打法ゴルフ編」、ＰＨＰ研究所、２００４年１１月
【発明の概要】
【発明が解決しようとする課題】
【０００８】
しかしながら、従来のゴルフシューズは、前記体の回転運動を妨げないゴルフスイングを考慮しておらず、体の回転運動を妨げないゴルフスイングを行う場合、スイング時に、必ずしも円滑な体重移動ができるとは限らず、体の回転運動を妨げてしまう可能性があるため、それに伴って回転運動のエネルギーがロスしてしまう場合もある。
【０００９】
図９は、体の回転運動を妨げないゴルフスイングの一例であるうねり打法を行う場合の体重移動の一例を示している。
【００１０】
そこで、体の回転運動を妨げないゴルフスイングに寄与することのできるゴルフシューズ用靴底およびそれを用いたゴルフシューズが求められている。
【００１１】
本発明は、前述した事情に鑑みてなされたもので、体の回転運動を妨げないゴルフスイングに寄与することのできるゴルフシューズ用靴底およびゴルフシューズを提供することを目的とする。
【課題を解決するための手段】
【００１２】
本発明者は、前記目的を達成するために、体の回転運動を妨げないゴルフスイング時に、体重移動の妨げにならず、円滑な体重移動を行うことができるゴルフシューズ用靴底およびそれを用いたゴルフシューズの研究を鋭意行った。
【００１３】
本発明は、上記研究の結果なされたもので、靴底本体を有する左右１対のゴルフシューズ用靴底であって、前記靴底本体の底面は、踵部領域を含む複数の領域に区画され、かつ、前記踵部領域の内側下縁部および外側下縁部は、縦断面が湾曲状をなす湾曲面とされているとともに、前記外側下縁部の湾曲面には下方に突出する突出部が設けられ、前記内側下縁部の湾曲面には前記突出部が設けられていないことを特徴とするゴルフシューズ用靴底を提供する。
【００１４】
本発明では、前記突出部は、複数に分割されている構成とすることができる。これにより、上記突出部の一部だけ動くことができるので、突出部がスイング時に円滑な体重移動の妨げにならず、足への負荷を低減することができる。
【００１５】
本発明では、ゴルファーが反打球進行方向の足に履くゴルフシューズにおける前記靴底の靴底本体の踏付け部の内側下縁部は、縦断面が湾曲状をなす湾曲面とされている構成とすることができる。これにより、体の回転運動を妨げないゴルフスイング時に、より円滑な体重移動ができる。
【００１６】
本発明では、前記靴底は、ゴルファーが打球進行方向の足に履くゴルフシューズに備えられ、当該靴底の靴底本体の踏付け部の底面外側には、前記突出部が設けられている構成とすることができる。これにより、体の回転運動を妨げないゴルフスイングと、通常のゴルフスイングの一例である壁を作るスイングとの両者に対応できる。
【００１７】
本発明では、前記靴底本体の底面外側に鋲が取り付けられている構成とすることができる。これにより、地面とのグリップ力を高めることができる。また、通常のゴルフスイングの一例である壁を作るスイングの時には、壁をより意識できる。
【００１８】
本発明では、前記靴底本体の底面は、前記踵部領域と、踏付け部の内側を含む踏付け部内側領域と、踏付け部の外側を含む踏付け部外側領域とに凹溝を介して区画されており、前記踵部領域、踏付け部内側領域および踏付け部外側領域の２つ以上が、前記凹溝により物理的に分断されている状態、または、前記凹溝の底部を介して物理的につながっている状態となっている構成とすることができる。これにより、上記領域の境界部分で靴底が屈曲しやすくなるので、より細かい足の動きに柔軟に対応できる。
【００１９】
本発明では、前記靴底本体の底面部分は、熱可塑性ポリウレタン樹脂により形成されている構成とすることができる。これにより、靴底本体の底面に柔軟性およびソフト感を付与できるので、スイング時に、体重移動を円滑にできる。
【００２０】
本発明のゴルフシューズは、上記のゴルフシューズ用靴底を具備する構成とされている。これにより、体の回転運動を妨げないゴルフスイング時に、体重移動を妨げることなく円滑な体重移動ができる。その結果、体の回転運動を妨げないゴルフスイングに寄与できるゴルフシューズを容易に実現できる。
【発明の効果】
【００２１】
本発明のゴルフシューズ用靴底およびゴルフシューズは、体の回転運動を妨げないゴルフスイング時に、体重移動の妨げにならず、円滑な体重移動を行うことができるなどの優れた効果を奏する。その結果、体の回転運動を妨げないゴルフスイングに寄与するなどの優れた効果を奏する。
【図面の簡単な説明】
【００２２】
【図１】本発明に係るゴルフシューズ用靴底を装着したゴルフシューズの実施形態の要部を上方から見て示す概略図である。
【図２】図１のゴルフシューズのゴルフシューズ用靴底の要部を下方から見て示す概略図である。
【図３】図１のゴルフシューズの要部を後方から見て示す概略図である。
【図４】図１の左足用ゴルフシューズの右側面図である。
【図５】図１の右足用ゴルフシューズの右側面図である。
【図６】図１の左足用ゴルフシューズの左側面図である。
【図７】図１の右足用ゴルフシューズの左側面図である。
【図８】図１のゴルフシューズのアッパーデザインを説明する説明図である。
【図９】右打ちゴルファーの体の回転運動を妨げないゴルフスイング時における体重移動の軌跡の一例を上から見て示す説明図である。
【発明を実施するための形態】
【００２３】
以下、本発明を図面に示す実施形態により説明する。
【００２４】
図１から図８は、本発明に係るゴルフシューズ用靴底を装着したゴルフシューズの実施形態を示すものであり、図１は要部を上方から見て示す概略図、図２は図１のゴルフシューズのゴルフシューズ用靴底の要部を下方から見て示す概略図、図３は要部を後方から見て示す概略図、図４は図１の左足用ゴルフシューズの右側面図、図５は図１の右足用ゴルフシューズの右側面図、図６は図１の左足用ゴルフシューズの左側面図、図７は図１の右足用ゴルフシューズの左側面図、図８は図１のゴルフシューズのアッパーデザインを説明する説明図である。
【００２５】
本実施形態のゴルフシューズ１は、右打ち（一般的には右利き）のゴルファーが用いるものを示しており、右打ちゴルファーが左足に履く左足用ゴルフシューズ１Ｌと、右足に履く右足用ゴルフシューズ１Ｒとにより左右１対とされている。そして、右打ちゴルファーは、図１の左方向（図２の右方向）が打球進行方向であり、図１の右方向（図２の左方向）が反打球進行方向である。また、図１の左右方向の中央が足の内側であり、図１の左右方向の両端が足の外側であり、図１の上下方向の上方が足の前側であり、図１の上下方向の下方が足の後側である。したがって、左足用ゴルフシューズ１Ｌは、右打ちゴルファーが打球進行方向の足に履くものであり、右足用ゴルフシューズ１Ｒは、右打ちゴルファーが反打球進行方向の足に履くものである。なお、左打ちゴルファーのゴルフシューズは、図１から図８の形状を左右反転した形状となる。
【００２６】
本実施形態のゴルフシューズ１は、ゴルフシューズ用靴底１０とアッパー部１２とを備えている。
【００２７】
本実施形態のゴルフシューズ用靴底１０は、靴底本体１４を備えており、靴底本体１４は、地面に接する底面１６を具備するアウトソール１８と、アウトソール１８に積層されたミッドソール２０とを有している。アウトソール１８の材質としては、熱可塑性ポリウレタン樹脂（熱可塑性ポリウレタンエラストマー：ＴＰＵ）が用いられているが、アウトソール１８の材質は他のものでもよい。ミッドソール２０の材質としては、例えば、ＥＶＡ、ポリオレフィン発泡体、ポリウレタン発泡体、ＴＰＵ、ゴムなどを挙げることができる。そして、ミッドソール２０の上面にアッパー部１２が装着されている。
【００２８】
本実施形態のゴルフシューズ１の靴底本体１４の底面１６は、図２に示すように、前側から順に、爪先部Ａ、踏付け部Ｂ、土踏まず部Ｃ、踵部Ｄとなっている。
【００２９】
本実施形態の底面１６は、踵部Ｄを含む踵部領域２２と、踏付け部Ｂの内側部分（親指側部分）を含む踏付け部内側領域２４と、踏付け部Ｂの外側部分（小指側部分）を含む踏付け部外側領域２６との３つの領域を有しており、これらの領域は、底面１６より上方（アッパー部１２側）に凹んだ凹溝２８によって区画されている。この場合、踵部領域２２、踏付け部内側領域２４および踏付け部外側領域２６は、凹溝２８により物理的に分断されている状態、または、前記凹溝２８の底部を介して物理的につながっている状態となっている。なお、底面１６に設ける領域としては、少なくとも踵部領域２２とその他の領域の２つがあればよい。また、例えば踵部領域２２を内側と外側とに区画したり、踏付け部内側領域２４および踏付け部外側領域２６の少なくとも一方をさらに前後方向に複数に区画したりすることにより、４以上の領域を設けることもできる。さらに、各領域と凹溝２８との境界部分に、屈曲性をさらに向上させるための凹溝２８より深いすじ状の深溝を設けてもよい。
【００３０】
本実施形態の右足用ゴルフシューズ１Ｒの底面１６に設けられた踏付け部外側領域２６は、爪先部Ａの外側下縁部を含むように形成されており、左足用ゴルフシューズ１Ｌの底面１６に設けられた爪先部Ａを含まないように形成された踏付け部外側領域２６とは異なる形状とされている。すなわち、左足用ゴルフシューズ１Ｌの底面１６の形状と、右足用ゴルフシューズ１Ｒの底面１６の形状とは非対称とされている。なお、左足用ゴルフシューズ１Ｌの底面１６の形状と、右足用ゴルフシューズ１Ｒの底面１６の形状とを対称にしてもよい。この場合、左足用ゴルフシューズ１Ｌの底面１６の形状と、右足用ゴルフシューズ１Ｒの底面１６の形状とのどちらを用いてもよい。
【００３１】
本実施形態の底面１６の外周下縁部は、全周に亘り、縦断面が湾曲状をなす湾曲面３０とされている。この湾曲面３０は、外周下縁部に対して断面ほぼ円弧状に湾曲した丸み（コーナーアール）をつけるように形成されている。なお、湾曲面３０は、少なくとも、左足用ゴルフシューズ１Ｌの底面１６における踵部領域２２の内側下縁部および外側下縁部と、右足用ゴルフシューズ１Ｒの底面１６における踵部領域２２の内側下縁部および外側下縁部と、右足用ゴルフシューズ１Ｒの底面１６における踏付け部Ｂの内側下縁部とに設けることが好適である。
【００３２】
本実施形態の左足用ゴルフシューズ１Ｌの底面１６における踵部領域２２の外側下縁部に設けられた湾曲面３０には、先端が底面１６より下方（地面側）に突出する突出部３２としての左外後側突出部３２Ｌａが設けられている。この左外後側突出部３２Ｌａは、アウトソール１８の外周に沿って踵部Ｄの外側前端から後端中央部に亘り７つに分割された状態で配列されている（１つのみ符号を付す。）。なお、左外後側突出部３２Ｌａとしては、複数に分割せずに一体のものとしてもよい。また、分割数および配置は、設計コンセプトなどの必要に応じて変更できる。
【００３３】
本実施形態の左足用ゴルフシューズ１Ｌの底面１６における踏付け部外側領域２６の外側下縁部に設けられた湾曲面３０にも、突出部３２としての左外前側突出部３２Ｌｂが設けられている。この左外前側突出部３２Ｌｂは、アウトソール１８の外周に沿って踏付け部Ｂの外側に間隔をおいて３つに分割された状態で配列されている。なお、左外前側突出部３２Ｌｂとしては、複数に分割せずに一体のものとしてもよい。また、分割数および配置は、設計コンセプトなどの必要に応じて変更できる。さらに、左外前側突出部３２Ｌｂは、湾曲面３０が設けられない場合であっても、踏付け部Ｂの前後方向中央部に設けることができる。
【００３４】
本実施形態の右足用ゴルフシューズ１Ｒの底面１６における踵部領域２２の外側下縁部に設けられた湾曲面３０にも、突出部３２としての右外後側突出部３２Ｒａが設けられている。この右外後側突出部３２Ｒａは、アウトソール１８の外周に沿って踵部Ｄの外側前端から外側後端に亘り４つに分割された状態で配列されている（１つのみ符号を付す。）。なお、右外後側突出部３２Ｒａとしては、複数に分割せずに一体のものとしてもよい。また、分割数および配置は、設計コンセプトなどの必要に応じて変更できる。
【００３５】
本実施形態の右足用ゴルフシューズ１Ｒの底面１６における踏付け部外側領域２６の外側下縁部に設けられた湾曲面３０にも、突出部３２としての右外前側突出部３２Ｒｂが設けられている。この右外前側突出部３２Ｒｂは、右利きのプレーヤーが、スイング動作におけるテイクバックをとった際に、いわゆるためが作りやすくなるように、靴底に安定性を持たせることを目的とするものであり、アウトソール１８の外周に沿って踏付け部Ｂの外側から爪先部Ａの外側にかけて間隔をおいて５つに分割された状態で配列されている（１つのみ符号を付す。）。なお、右外前側突出部３２Ｒｂとしては、複数に分割せずに一体のものとしてもよい。また、分割数および配置は、設計コンセプトなどの必要に応じて変更できる。さらに、右外前側突出部３２Ｒｂは、湾曲面３０が設けられない場合であっても、踏付け部Ｂの外側で、前端から前後方向中央部にかけて設けることができる。
【００３６】
本実施形態の底面１６には、地面とのグリップ力を向上させるための個別に形成された鋲３４（スタッド：図２において円形にて簡略化して示す。）が着脱可能に取り付けられている。この鋲３４は、少なくとも地面と接地する部分がゴムや熱可塑性プラスチックなどにより形成されている。
【００３７】
本実施形態の鋲３４は、左足用ゴルフシューズ１Ｌの底面１６における踵部領域２２において４つ、踏付け部内側領域２４において２つ、踏付け部外側領域２６において２つの総計８つが配置されている。そして、左足用ゴルフシューズ１Ｌの底面１６における踵部領域２２に配置された４つの鋲３４は、前後方向に２列、内外方向に２列のマトリックス（行列状）に配置されている。また、左足用ゴルフシューズ１Ｌの底面１６における踏付け部内側領域２４に配置された２つの鋲３４は、踏付け部Ｂの内側前部（左足の足裏の親指の付け根近傍）と、踏付け部Ｂの内側後部とに配置されている。さらに、左足用ゴルフシューズ１Ｌの底面１６における踏付け部外側領域２６に配置された２つの鋲３４は、踏付け部Ｂの外側前部（左足の足裏の小指の付け根近傍）と、踏付け部Ｂの外側後部とに配置されている。
【００３８】
本実施形態の鋲３４は、右足用ゴルフシューズ１Ｒの底面１６における踵部領域２２において３つ、踏付け部内側領域２４において３つ、踏付け部外側領域２６において２つの総計８つが配置されている。そして、右足用ゴルフシューズ１Ｒの底面１６における踵部領域２２に配置された３つの鋲３４は、外側前部と、外側後部の少し内側寄りと、内側の前後方向ほぼ中央部とに配置されている。また、右足用ゴルフシューズ１Ｒの底面１６における踏付け部内側領域２４に配置された３つの鋲３４は、踏付け部Ｂの前部（左足の足裏の親指の付け根近傍）と、踏付け部Ｂの内側中央部と、踏付け部Ｂの内側後部とに配置されている。さらに、右足用ゴルフシューズ１Ｒの底面１６における踏付け部外側領域２６に配置された２つの鋲３４は、踏付け部Ｂの外側前部（左足の足裏の小指の付け根近傍）と、踏付け部Ｂの内側後側とに配置されている。
【００３９】
すなわち、左足用ゴルフシューズ１Ｌの底面１６に配置された８つの鋲３４と、右足用ゴルフシューズ１Ｒの底面１６に配置された８つの鋲３４とは非対称に配置されている。
【００４０】
なお、鋲３４は、靴底本体１４の底面１６の外側に配置されていればよい。また、鋲３４の配置および数は、設計コンセプトなどの必要に応じて設定することができる。さらに、鋲３４の形状、構造は、設計コンセプトなどの必要に応じて設定すればよい。
【００４１】
本実施形態の靴底本体１４の底面１６（凹溝２８の上面を含む）には、領域の境界部分（屈曲部分）以外の部分に、地面とのグリップ力を向上させるための図示しない複数の突起を設けることができる。この突起の形状は、設計コンセプトなどの必要に応じて設定すればよい。
【００４２】
本実施形態のゴルフシューズ１は、トウスプリングＺを１５〜１９ｍｍに設定している（図４〜図７参照）。このトウスプリングＺはヒール高さＨやシューズのサイズで変わるが、従来の２６ｃｍサイズのシューズのトウスプリングＺが２７ｍｍ程度であったのに対して、本実施形態では２６ｃｍサイズのシューズのトウスプリングＺを１７ｍｍ程度と小さくすることにより、靴底本体１４の底面１６が地面と接地する面積を大きくできるので、スイングをする際に、地面とのグリップ力が向上する。
【００４３】
本実施形態のアッパー部１２の表面には、アッパーデザインとして体重移動の軌跡（動き）をゴルファーに意識付けるための太ライン４０（図中、点を表示した部分）が設けられている（図１、図６参照）。この太ライン４０は、右足用ゴルフシューズ１Ｒにおいて爪先部Ａの上面における前端中央部よりやや内側から土踏まず部Ｃの内側下縁部前端に向かって斜めに形成された右ライン４０Ｒと、左足用ゴルフシューズ１Ｌにおいて外側の最も履き口の開口端に近い部位に設けられた靴紐挿通孔４２の形成部位から踵部Ｄの外側下縁部後端に向かって斜めに形成された左ライン４０Ｌとを有しており、図８に示すように、右足用ゴルフシューズ１Ｒの下に左足用ゴルフシューズ１Ｌを重ねたときに、左側から見て全体として左上から右下に向かう傾斜線をなすように形成されている。なお、太ライン４０の色としては、アッパー部１２の表面の色と異なる色で、ゴルファーがゴルフシューズ１を足に履いた状態で視認性に優れた色であればよい。本実施形態においては、アッパー部１２の表面の色を「黒」とし、太ライン４０の色を「赤」としている。このように、太ライン４０を設けることにより、体の回転運動を妨げないゴルフスイング時の体重移動の動き、すなわち図９に示す体重移動の軌跡をゴルファーに確実かつ容易に意識付けることができる。
【００４４】
その他の構成については従来のゴルフシューズと同様とされているので、その詳しい説明については省略する。
【００４５】
つぎに、前述した構成からなる本実施形態の作用について説明する。
【００４６】
本実施形態のゴルフシューズ用靴底１０によれば、靴底本体１４の底面１６は、少なくとも踵部領域２２を含む複数の領域に区画されているから、各領域の境界部分が屈曲しやすくなるので、スイング時および歩行時の足の動きに対応して底面１６を容易に変形できる。また、踵部領域２２の少なくとも足の内側に位置する内側下縁部および足の外側に位置する外側下縁部がともに縦断面が湾曲状をなす湾曲面３０とされているから、ゴルファーが体の回転運動を妨げないゴルフスイングを行う時に、踵部領域２２の内側下縁部および外側下縁部が体重移動を阻止することがない。さらに、踵部領域２２の外側下縁部の湾曲面３０には突出部３２（左外後側突出部３２Ｌａ、右外後側突出部３２Ｒａ）が設けられ、内側下縁部の湾曲面３０には突出部３２が設けられていないから、体の回転運動を妨げないゴルフスイング時に、ゴルファーの足のグリップして欲しい最適な位置で、最適なグリップ力を得られる。
【００４７】
したがって、本実施形態のゴルフシューズ用靴底１０によれば、体の回転運動を妨げないゴルフスイング時に、体重移動の妨げにならず、円滑な体重移動を行うことができる。
【００４８】
つまり、本実施形態のゴルフシューズ用靴底１０によれば、体の回転運動を妨げないゴルフスイングに寄与できる。このよう体の回転運動を妨げないゴルフスイングに寄与する構成は、従来のゴルフシューズ用靴底およびそれを用いたゴルフシューズにはない新規なものである。
【００４９】
本実施形態のゴルフシューズ用靴底１０によれば、突出部３２は、複数に分割されているから、突出部３２の一部だけ動くことができるので、体の回転運動を妨げないゴルフスイング時に、円滑な体重移動の妨げにならず、足への負荷を低減できる。
【００５０】
本実施形態のゴルフシューズ用靴底１０によれば、ゴルファーが打球進行方向の足に履くゴルフシューズ１（右打ちゴルファーの左足用ゴルフシューズ１Ｌ）の靴底本体１４の底面１６は、少なくとも踵部領域２２の内側下縁部および外側下縁部に湾曲面３０が設けられ、ゴルファーが反打球進行方向の足に履くゴルフシューズ１（右打ちゴルファーの右足用ゴルフシューズ１Ｒ）の靴底本体１４の底面１６は、少なくとも踏付け部Ｂの内側下縁部に湾曲面３０が設けられているから、体の回転運動を妨げないゴルフスイング時に、より円滑な体重移動ができる。
【００５１】
本実施形態のゴルフシューズ用靴底１０によれば、ゴルファーが打球進行方向の足に履くゴルフシューズ１（右打ちゴルファーの左足用ゴルフシューズ１Ｌ）の靴底本体１４の底面１６は、少なくとも踵部領域２２の内側下縁部および外側下縁部に湾曲面３０が設けられ、この靴底本体１４の底面１６は、少なくとも踏付け部Ｂの外側下縁部にも突出部３２（左外前側突出部３２Ｌｂ）が設けられているから、体の回転運動を妨げないゴルフスイングと、通常のゴルフスイングの一例である壁を作るスイングとの両者に対応できる。
【００５２】
本実施形態のゴルフシューズ用靴底１０によれば、靴底本体１４の少なくとも外側に鋲３４が配置されているから、地面とのグリップ力を高めることができる。また、通常のゴルフスイングの一例である壁を作るスイング時には、壁をより意識できる。
【００５３】
本実施形態のゴルフシューズ用靴底１０によれば、靴底本体１４の底面１６は、踵部領域２２と、踏付け部Ｂの内側を含む踏付け部内側領域２４と、踏付け部Ｂの外側を含む踏付け部外側領域２６との３つの領域に凹溝２８を介して区画されているから、靴底本体１４が変形（屈曲）しやすくなり、より細かい足の動きに柔軟に対応できる。
【００５４】
本実施形態のゴルフシューズ用靴底１０によれば、靴底本体１４の少なくとも底面１６は、熱可塑性ポリウレタン樹脂により形成されているから、靴底本体１４の底面１６に柔軟性およびソフト感を付与できるので、スイング時に体重移動を円滑にできるし、歩行しやすくなる。
【００５５】
また、本実施形態のゴルフシューズ用靴底１０によれば、アウトソール１８が柔軟なＴＰＵにより形成され、かつ、踵部領域２２、踏付け部内側領域２４および踏付け部外側領域２４が、凹溝２８により区画されているので、靴底本体１４の底面１６に柔軟性およびソフト感がより向上し、スイング時に体重移動をより円滑にできるし、より歩行しやすくなる。
【００５６】
本実施形態のゴルフシューズ１によれば、本実施形態のゴルフシューズ用靴底１０を装着した構成とされているから、体の回転運動を妨げないゴルフスイングに寄与できるゴルフシューズを容易に実現できる。
【００５７】
なお、本発明は、前述した実施形態に限定されるものではなく、必要に応じて種々の変更が可能である。例えば、本発明の靴底は、突起として左外後側突出部、右外後側突出部のみを有していればよく、左外前側突出部、右外前側突出部、鋲などは必ずしも必要ではない。
【符号の説明】
【００５８】
１  ゴルフシューズ
１０  ゴルフシューズ用靴底
１２  アッパー部
１４  靴底本体
１６  底面
２２  踵部領域
２４  踏付け部内側領域
２６  踏付け部外側領域
３０  湾曲面
３２  突出部
３２Ｌａ  左外後側突出部
３２Ｌｂ  左外前側突出部
３２Ｒａ  右外後側突出部
３２Ｒｂ  右外前側突出部
３４  鋲
Ａ  爪先部
Ｂ  踏付け部
Ｃ  土踏まず部
Ｄ  踵部
Ｚ  トウスプリング
【図１】
2012139348.tif 000003
【図２】
2012139348.tif 000004
【図３】
2012139348.tif 000005
【図４】
2012139348.tif 000006
【図５】
2012139348.tif 000007
【図６】
2012139348.tif 000008
【図７】
2012139348.tif 000009
【図８】
2012139348.tif 000010
【図９】
2012139348.tif 000011